(57)【要約】【課題】  遊技機における不正行為を防止する。【解決手段】  遊技機の筐体と、前記筐体に設けられた扉と、不正行為に係る物体を検出する検出部を含む不正行為監視部と、前記不正行為監視部の出力に基づき前記筐体内における不正行為の有無を判断する不正行為判断部とを備え、前記検出部を、前記筐体の扉の開閉に係る隙間部分に設ける。この発明によれば、遊技機の筐体内部に異物が侵入したことを検出し、警報を発したり、遊技機の動作を停止したりすることができる。【選択図】        図３
2005152107.tif 000002
【特許請求の範囲】
【請求項１】
筐体と、前記筐体に設けられた扉と、不正行為に係る物体を検出する検出部を含む不正行為監視部と、前記不正行為監視部の出力に基づき前記筐体内における不正行為の有無を判断する不正行為判断部とを備え、前記検出部は、前記筐体の扉の開閉に係る隙間部分に設けられていることを特徴とする遊技機。
【請求項２】
前記検出部は、信号を送信する送信部と、前記送信部から送信された信号を受信する受信部とを含み、前記送信部は前記隙間部分の一端に設けられ、前記受信部は前記隙間部分の他端に設けられ、前記送信部から前記受信部への信号は前記隙間部分に沿って伝播するように構成され、前記不正行為判断部は、前記受信部が受信すべき信号を受信していないとき不正行為が有ったと判断することを特徴とする請求項１記載の遊技機。
【請求項３】
筐体と、前記筐体の内部に設けられる遊技機の起動停止に関する操作スイッチ又は遊技制御内容の少なくとも一部を切り替えるための操作スイッチと、不正行為に係る物体を検出する検出部を含む不正行為監視部と、前記不正行為監視部の出力に基づき前記筐体内における不正行為の有無を判断する不正行為判断部とを備え、前記検出部は、前記操作スイッチの近傍に設けられていることを特徴とする遊技機。
【請求項４】
前記検出部は、信号を送信する送信部と、前記送信部から送信された信号を受信する受信部と、ひとつ又は複数の前記操作スイッチの一部又は全部を挟んでその両側に設けられた第１部材と第２部材を含み、前記送信部は前記第１部材に設けられ、前記受信部は前記第２部材に設けられ、前記不正行為判断部は、前記受信部が受信すべき信号を受信していないとき不正行為が有ったと判断することを特徴とする請求項３記載の遊技機。
【請求項５】
前記不正行為監視部は、前記検出部としてのコイルと、前記コイルと接続されて発振回路を構成するキャパシタと、前記発振回路の発振周波数の変化を検出する検出回路とを含み、前記不正行為判断部は、前記検出回路の検出する発振周波数が予め定められた範囲を外れたときに不正行為があったと判断し、前記コイルは、筐体の扉の開閉に係る隙間部分、又はひとつ又は複数の前記操作スイッチの一部又は全部を囲むように設けられていることを特徴とする請求項１又は請求項３記載の遊技機。
【請求項６】
前記筐体の扉の開閉を検出する扉開閉検出センサと、前記扉開閉検出センサにより前記扉の開状態を検出したとき前記検出器、不正行為監視部又は不正行為判断部いずれかの動作を停止させる制御部を備えることを特徴とする請求項１乃至請求項５いずれかに記載の遊技機。
【請求項７】
時間を計測するタイマと、不正行為の監視時間帯に関する情報を予め記憶する時間帯記憶部と、前記タイマの出力を前記時間帯記憶部の情報と比較し、時刻が不正行為を監視すべき監視時間帯に該当しない場合に前記検出器、不正行為監視部又は不正行為判断部いずれかの動作を停止させる制御部とを備えることを特徴とする請求項１乃至請求項６いずれかに記載の遊技機。
【発明の詳細な説明】
【技術分野】
【０００１】
この発明は、スロットマシン等の遊技機に関する。
【背景技術】
【０００２】
スロットマシン等の遊技機において、遊技者が所定の枚数のメダルや遊技球等の遊技媒体を遊技機に投入してゲームを楽しむことができる。遊技に必要な遊技媒体は、遊技ホール内に設けられた遊技媒体貸機等で借りることができ、所望の遊技機の遊技媒体投入口に投入することによりゲームを開始することができる。
【０００３】
スロットマシンは、基本的に絵柄が揃ったときに賞品としてメダルを払い出すものであるが、絵柄が揃うかどうかは内部のコンピュータによる抽選の結果に従う。また、ビッグボーナス、レギュラーボーナス、小役などのさまざまな賞も内部のコンピュータによる抽選の結果に従う。抽選の処理の内容は所定の範囲内で設定変更が可能であり、遊技機が設置されるホールなどにおいて店側により設定作業が行われる。設定変更は、遊技機の扉を開け、電源部に設けられた設定キースイッチをオンにしつつ電源スイッチをオフからオンにし、設定変更可能なモードに移行した後、設定変更スイッチを押す等の所定の操作手順により行われた。
【発明の開示】
【発明が解決しようとする課題】
【０００４】
遊技者のごく一部に不正行為（いわゆるゴト行為）を行う者がいた。例えば、設定操作を不正に行うことにより、遊技機の設定を自己に有利なものに不正に変更する者がいた。遊技機の扉には鍵が設けられて容易に開閉できないようになっているとともに、設定キースイッチの操作を行うための鍵が必要であるが、設定キースイッチの配線に工作を加えるとともに、前扉の隙間から細い棒のようなものを差し込んで電源スイッチをオンオフし、不正に設定変更を行っているようである。
【０００５】
この発明は、斯かる不正行為を防止できる遊技機を提供することを目的とする。
【課題を解決するための手段】
【０００６】
この発明に係る遊技機は、筐体と、前記筐体に設けられた扉と、不正行為に係る物体を検出する検出部を含む不正行為監視部と、前記不正行為監視部の出力に基づき前記筐体内における不正行為の有無を判断する不正行為判断部とを備え、前記検出部は、前記筐体の扉の開閉に係る隙間部分に設けられていることを特徴とするものである。
なお、不正行為に係る物体とは、扉によって閉鎖された状態において筐体内部に侵入される遊技媒体以外の異物である。
なお、扉の開閉に係る隙間部分とは、筐体と扉の閉鎖状態において通常は互いに密着する部分であって、扉を開くにしたがって密着状態が解除される部分を含むものである。完全に密着していれば異物を挿入することができないが、扉開で密着状態が解除されるように構成されているので、当該部分に力を加えて隙間を生じさせ、異物を挿入することも可能な場合もある。
【０００７】
前記検出部は、例えば、信号（光、電波、超音波など）を送信する送信部と、前記送信部から送信された信号を受信する受信部とを含み、前記送信部は前記隙間部分の一端に設けられ、前記受信部は前記隙間部分の他端に設けられ、前記送信部から前記受信部への信号は前記隙間部分に沿って伝播するように構成され、前記不正行為判断部は、前記受信部が受信すべき信号を受信していないとき不正行為が有ったと判断する。
【０００８】
この発明に係る遊技機は、筐体と、前記筐体の内部に設けられる遊技機の起動停止に関する操作スイッチ又は遊技制御内容の少なくとも一部を切り替えるための操作スイッチと、不正行為に係る物体を検出する検出部を含む不正行為監視部と、前記不正行為監視部の出力に基づき前記筐体内における不正行為の有無を判断する不正行為判断部とを備え、前記検出部は、前記操作スイッチの近傍に設けられていることを特徴とするものである。
前記操作スイッチとは筐体内に設けられるスイッチであり、例えば、電源部の出力をオンオフする電源スイッチ、遊技制御部（メイン基板やサブ基板）における遊技動作（例：抽選確率、入賞アシストの発生制御、演出内容（液晶画面、音量、光量等）など）の条件を変更するための設定スイッチを含む。
【０００９】
前記検出部は、例えば、信号を送信する送信部と、前記送信部から送信された信号を受信する受信部と、ひとつ又は複数の前記操作スイッチの一部又は全部を挟んでその両側に設けられた第１部材と第２部材を含み、前記送信部は前記第１部材に設けられ、前記受信部は前記第２部材に設けられ、前記不正行為判断部は、前記受信部が受信すべき信号を受信していないとき不正行為が有ったと判断する。
前記第１部材及び前記第２部材は、例えばアーチ状やコの字型状の検出すべき部分の前面に突出した構造物である。
【００１０】
前記不正行為監視部は、例えば、前記検出部としてのコイルと、前記コイルと接続されて発振回路を構成するキャパシタと、前記発振回路の発振周波数の変化を検出する検出回路とを含み、前記不正行為判断部は、前記検出回路の検出する発振周波数が予め定められた範囲を外れたときに不正行為があったと判断し、前記コイルは、筐体の扉の開閉に係る隙間部分、又はひとつ又は複数の前記操作スイッチの一部又は全部を囲むように設けられている。
【００１１】
さらに、前記筐体の扉の開閉を検出する扉開閉検出センサと、前記扉開閉検出センサにより前記扉の開状態を検出したとき前記検出器、不正行為監視部又は不正行為判断部いずれかの動作を停止させる制御部（メイン基板のプログラム）を備えるようにしてもよい。
【００１２】
前記扉を開閉可能に構成するヒンジを前記扉の一方の側に備える場合、例えば、前記扉開閉検知センサは前記ヒンジ側に設けられている。
【００１３】
前記扉を開閉可能に構成するヒンジを前記扉の一方の側に備える場合、例えば、前記前記扉開閉検知センサは前記ヒンジの設けられていない側に設けられ、前記扉が予め定められた距離又は角度以上開いたことにより開状態を検出する。
【００１４】
前記扉開閉検知センサは受光素子であり、前記扉が閉じた状態のとき、前記受光素子の受光部を遮蔽可能な遮蔽部を備えるようにしてもよい。
【００１５】
さらに、時間を計測するタイマと、不正行為の監視時間帯に関する情報を予め記憶する時間帯記憶部と、前記タイマの出力を前記時間帯記憶部の情報と比較し、時刻が不正行為を監視すべき監視時間帯に該当しない場合に前記検出器、不正行為監視部又は不正行為判断部いずれかの動作を停止させる制御部とを備えるようにしてもよい。
【００１６】
前記タイマと、前記時間帯記憶部と、前記制御部を備えることにより、遊技店の営業時間内など予め設定された時間内において監視可能とする。前記設定変更時間帯記憶部は、例えば、遊技機が設置されているホールの営業時間に合わせた時間帯の情報を記憶する。前記設定変更時間帯記憶部の情報として、曜日、年月日などのカレンダー情報を含むようにしてもよい。
【発明の効果】
【００１７】
この発明によれば、遊技機の筐体内部に異物が侵入したことを検出し、警報を発したり、遊技機の動作を停止したりすることができる。これにより不正な設定変更などの不正行為を防止することができる。
【発明を実施するための最良の形態】
【００１８】
発明の実施の形態１．
設定変更モードに移行するためには、（１）設定キースイッチをオンにする、（２）この状態で電源スイッチをオフからオンにする、という２つの条件が必要である。本発明の実施の形態は、不正行為者による（１）と（２）を困難にさせ、もって不正行為を防止しようとするものである。不正行為者は、前扉の隙間から棒状のものを挿入して設定キースイッチや電源スイッチを探し当て、これを操作することにより（１）と（２）を行っているようである。
上記の点に鑑み、本発明の実施の形態では、検出部（センサ）、不正行為監視部、不正行為判断部を設けることにより、遊技機の筐体内部に異物が侵入したことを検出し、警報を発したり、遊技機の動作を停止したりする。これにより不正な設定変更などの不正行為を防止するものである。
【００１９】
以下、本発明の実施の形態について図面を参照して説明する。
図１は前扉を閉めた状態を示すスロットマシンの正面図、図２は前扉を１８０度開いた状態を示すスロットマシンの正面図を示す。
【００２０】
図１及び図２中、１００はスロットマシンを示すもので、このスロットマシン１００は、図１に示すように、スロットマシン本体（筐体）１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルをスロットマシン１００外に強制的に排出するためのリジェクトボタン１３３が設けられている。
【００２１】
また、前記ゲーム表示部１３１の左下方には、ゲームを開始するためのスタートボタン１３４を設けてあり、３つのリールのそれぞれに対応して３つのストップボタン１４０を設けてある。前扉の下端部中央には、メダルの払出し口１３５を設けてある。
【００２２】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ホッパ装置１２１の上側のリールユニット２０３との間には電源部２０５が設けられている。
【００２３】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２４】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２５】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニットの駆動を開始させる。リールユニットは、ストップスイッチによりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２６】
図３は発明の実施の形態１に係るスロットマシンの機能ブロック図を示す。
図３において、２００、２０１はそれぞれＣＰＵを内蔵するメイン基板、サブ基板である。メイン基板２００はメダルの投入、払い出し、リールの制御、当選処理などを行う。サブ基板２０１は演出表示などの処理を行う。２０２はスタートスイッチ１３４やストップスイッチ、ベットスイッチなどのスイッチからなる操作部２０２である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。２０５は各部に電源を供給する電源部である。電源部２０５には電源スイッチが設けられ、電源スイッチがオンのとき電源部２０５はＡＣ電源をＤＣ電圧に変換してメイン基板２００，サブ基板２０１などへ供給する。
【００２７】
２１０は筐体内部への異物の侵入を検出する検出部（センサ）である。検出部２１０は、例えば、発光素子としてＬＥＤ、ＬＤ（レーザダイオード）を備え、受光素子としてフォトトランジスタ、フォトダイオード、ＰＳＤ（位置検出用フォトダイオード）を備える光電センサである。発光素子と受光素子は直線上にしか置けないものの（途中に鏡などの反射手段を設ければ経路を変更可能である）、長距離にわたり異物を検出することができる。光電センサは透明物や小さいものなど検知できる種類が多い。または、超音波発信器と受信器を備える超音波センサや、異物の接近により生じるインダクタンスやキャパシタンス、磁界の変化を検出するセンサである。あるいは、異物による圧力を直接検出する機械式センサ（操作部に設けられて圧力を検出するスイッチなど）であってもよい。メイン基板２００は、検出部２１０の出力に基づき不正行為の有無を監視する不正行為監視部２００ａと、不正行為監視部２００ａの出力に基づく不正行為かどうか判断する不正行為判断部２００ｂとを備える（プログラムで実現されてもよい）。例えば、検出部２１０が光電センサである場合、不正行為監視部２００ａは受光部の受光状況を監視し、不正行為判断部２００ｂは受光部が受光しなくなったとき、つまり異物により光が遮蔽されたとき不正行為があったと判断する。検出部２１０と不正行為監視部２００ａは一体となって異物を検出する。その意味で検出部２１０は不正行為監視部２００ａに含まれていると言える。なお、不正行為監視部２００ａと不正行為判断部２００ｂは、メイン基板２００内に設けられてもよいし、その外部に独立して設けられてもよい。
【００２８】
図４はスロットマシン筐体の前扉３００を開けた状態を示す斜視図である。同図において、光電センサ（あるいは超音波センサ）である検出部２１０が筐体の扉の開閉に係る隙間部分に設けられている。光電センサの発光素子２１０ａ、受光素子２１０ｂは筐体の四隅に取り付けられている。筐体右側の発光素子２１０ａは２方向に光を放射するものである（これに代えて発光素子２１０ａを２つ設けるようにしてもよい）。受光素子２１０ｂについても同様である。発光素子２１０ａの発する光は筐体の隙間部分に沿って伝播し、対向して設けられた受光素子２１０ｂに入る。同図の点線Ａは発光素子２１０ａから受光素子２１０ｂへの光の伝播経路を示す。伝播経路Ａは隙間部分に沿っているから、隙間から異物を侵入させると光を遮ることになる。したがって、受光素子２１０ｂの出力を監視していれば異物の侵入の有無を知ることができる。スロットマシン筐体が上下にそれぞれ扉を備える分離方式である場合、検出部２１０は、上扉側又は下扉側のいずれか一方あるいは両方に取り付けられる。両方に取り付けられた場合、上扉と下扉のいずれか一方で異物を検出したとき不正行為と判断することが好ましい。
【００２９】
図５は電源部２０５のパネルの詳細を示す。図５において、電源スイッチ２０５１は電源のオン／オフスイッチであり、電源部パイロットランプ２０５２は電源がオンのとき点灯するランプ（ＬＥＤ）であり、打ち止め有無スイッチ２０５３はメダルの払い出し枚数を制限する打ち止めを「有り」または「無し」に設定するスイッチである。打ち止め有無スイッチ２０５３は通常「無し」に設定されていて、頻繁に使用されることはない。設定キースイッチ２０５４は、特殊な鍵を挿入部に挿入して回動することで設定変更可能なモードにするためのスイッチであり、設定変更／リセットスイッチ２０５５は設定変更を有効にしたり、装置をリセットするためのスイッチであり、ＡＣ１００Ｖパイロットランプ２０５６は筐体の電源であるＡＣ１００Ｖが供給されていることを示すランプであり、ＡＣ電源出力及び電源ケーブル２０５７は電源を供給するためのものである。電源スイッチ２０５１はシーソー型のトグルスイッチで、○印の方を押して倒すと電源がオンになり、Ｉ印の方を押して倒すと電源がオフになるものである。
【００３０】
図５において、光電センサ（あるいは超音波センサ）である検出部２１０が、電源スイッチ２０５１の近傍にこれを囲むように設けられているとともに、設定キースイッチ２０５４及び設定変更スイッチ２０５５の近傍にこれらを囲むように設けられている。あるいは、いずれか一方に設けられてもよい。このような配置にすればスイッチ部分に接近する異物を確実に検出できる。扉に穴を開けて異物を侵入させるという不正行為の手口もあるが、図５の配置にすればこれも防止できる。
【００３１】
図５の検出部２１０の斜視図を図６に示す。図６においてスイッチ類の表示は省略してある。検出部２１０は、電源スイッチ又は設定スイッチを挟んでその両側に設けられたアーチ状の構造物（他の形状、例えばコの字型のような前方に突出する形状であってもよい）の第１部材２１０１ａと第２部材２１０１ｂを含む。第１部材２１０１ａには複数の送信部（発光素子）２１０２ａが配列され、第２部材２１０１ｂには前記送信部からの信号をそれぞれ受信する複数の受信部（受光素子）２１０２ｂが配列されている。不正行為判断部２００ｂは、複数の受信部２１０２ｂのいずれかが受信すべき信号を受信していないとき不正行為が有ったと判断する。
【００３２】
第１部材２１０１ａと第２部材２１０１ｂは同一形状であることが好ましい。その大きさは電源スイッチ２０５１などの不正行為の対象部分を覆う程度である。そこに設けられる送信部２１０２ａと受信部２１０２ｂの数は、信号の伝播経路Ａの間隔に基づき決定される。ひとつの送信部２１０２ａと受信部２１０２ｂにより検出可能な横方向の範囲（間隔）よりも、伝播経路Ａの間隔つまり隣接する送信部２１０２ａ（受信部２１０２ｂ）の間隔がやや狭いことが好ましい（こうすると不正行為の対象部分を伝播経路Ａで隙間無く覆うことができる）。多少間隔が広く隙間が生じたとしても、当該隙間が異物よりも小さければ問題はない。
【００３３】
検出部を設置する場所、つまり監視部が不正行為を監視する場所は図４や図５に示すものに限定されない。遊技価値の付与に影響するもの（例えば、メイン基板やサブ基板、これらの間を電気的に接続するワイヤハーネス、メダル検出センサ、電源部の電源スイッチ、リールユニットの裏や筐体外部とつながりのある部位（例えばスピーカの周り、メダル払い出し口、メダル投入口）などの部位に検出部を設けるとよい。
【００３４】
発明の実施の形態によれば、不正行為に係る物体を検出する検出部と、不正行為を監視する不正行為監視部と、不正行為監視部の出力に基づき筐体内における不正行為の有無を判断する不正行為判断部とを備えたので、遊技機の筐体内部に異物が侵入したことを検出し、警報を発したり、遊技機の動作を停止したりすることができる。これにより不正な設定変更などの不正行為を防止することができる。
【００３５】
発明の実施の形態２．
インダクタンスの変化を検出する回路を用いた不正行為監視について説明する。図７は、本発明の実施の形態２に係る検出部２１０と不正行為監視部２００ａのブロック図である。図７の装置は、検出部２１０としてのコイルＬと、コイルＬと接続されて発振回路を構成するキャパシタＣと、発振回路の発振周波数の変化を検出する周波数検出器（周波数カウンタ）２００ａ−１とを含む。金属等の異物がコイルＬに接近するとコイルのインダクタンス値が変化する。この結果、図７のＬＣ発振回路の発振周波数が変化する。不正行為判断部２００ｂは、周波数検出器２００ａ−１の検出する発振周波数が予め定められた範囲を外れたときに不正行為があったと判断する。図７の回路の安定性は非常に高く、通常であればその発振周波数はほぼ一定とみなすことができ、数Ｈｚ程度の変化を検出することも可能である。金属等の異物がコイルＬの近づいたとき発振周波数は数ｋＨｚ〜数十ｋＨｚ程度変化するので、異物の検出には十分である。
【００３６】
図８はスロットマシン筐体の前扉３００を開けた状態を示す斜視図である。同図において、複数のコイルＬ１〜Ｌ５である検出部２１０が筐体の扉の開閉に係る隙間部分にそれぞれ設けられている。コイルが隙間部分に設けられているから、隙間から異物を侵入させるとコイルのインダクタンスが変化し、発振回路の発振周波数が変化することになる。したがって、発振回路の発振周波数を監視していれば異物の侵入の有無を知ることができる。スロットマシン筐体が上下にそれぞれ扉を備える分離方式である場合、検出部２１０は、上扉側又は下扉側のいずれか一方あるいは両方に取り付けられる。両方に取り付けられた場合、上扉と下扉のいずれか一方で異物を検出したとき不正行為と判断することが好ましい。
【００３７】
図９は電源部２０５のパネルへ検出部２１０を設けた状態を示す。
図９において、コイルＬ６の検出部２１０が、電源スイッチ２０５１の近傍にこれを囲むように設けられているとともに、コイルＬ７が設定キースイッチ２０５４及び設定変更スイッチ２０５５の近傍にこれらを囲むように設けられている。あるいは、いずれか一方に設けられてもよい。このような配置にすればスイッチ部分に接近する異物を確実に検出できる。扉に穴を開けて異物を侵入させるという手口もあるが、図９の配置にすればこれも防止できる。
【００３８】
発明の実施の形態２は、発明の実施の形態１と同様の作用効果を奏する。発明の実施の形態２に係る検出部はひとつの要素からなるのでその設置や調整の点で有利である。発明の実施の形態１のように検出部が送信部と受信部を備えると、信号を遮るものであれば何でも検出できるという利点があるものの、信号の伝播経路の調整が必要になる。
【００３９】
発明の実施の形態３．
上記発明の実施の形態１，２においてホール管理者による正当な設定変更作業を妨げないように、扉開閉検知センサ２０４を設けて遊技機筐体の扉が開いているときは不正行為の監視・判断を停止するようにしてもよい。
【００４０】
なお、扉開閉検知センサの出力を監視する制御部は、メイン基板の他、遊技機を設置する設置部に設けた制御装置であってもよいし、複数の遊技機を集中監視又は管理するコンピュータ等であってもよく、適宜に用いることができる。
【００４１】
発明の実施の形態３に係る遊技機のブロック図を図１０に、処理フローチャートを図１１に示す。
【００４２】
図１０において、２０６は扉の開閉状態を検出する扉開閉検知センサである。センサ２０６は、マイクロスイッチやリードスイッチなどの機械式スイッチ、フォトダイオードやフォトインタラプタなどの光電式スイッチ、扉が開いたときの距離を測るポテンショメータや扉が開いたときの角度を測るロータリエンコーダなどである。扉開閉検知センサ２０６の出力はメイン基板２００に入力されている。そして、メイン基板２００は図１１の処理を行う。
【００４３】
Ｓ１１：扉開閉検知センサ２０６の出力に基づき扉の状態を監視する。
Ｓ１２：扉の状態を監視する。扉が開状態であれば、当該遊技機は保守点検中と考えられ、その作業を妨害しないように不正行為監視部の動作を停止させる（Ｓ１７）。例えば、検出器への電源を切断してその動作を停止させたり、不正行為監視部２００ａの処理や不正行為判断部２００ｂの処理を停止させる。
【００４４】
Ｓ１３：扉が閉状態であれば、遊技を受け付けていると考えられ、不正行為を防止するために検出器２１０を動作させるとともに、不正行為監視部２００ａの処理や不正行為判断部２００ｂの処理を実行させる。
Ｓ１４：不正行為の有無を判断する。例えば、検出器２１０で異物が検出されたかどうか判断する。検出されなければ（ＮＯ）、Ｓ１１〜Ｓ１４の処理を繰り返す。
【００４５】
Ｓ１５：異物が検出されたとき（ＹＥＳ）、直ちに遊技の受付を停止する。
Ｓ１６：エラーを報知する。例えばブザーを吹鳴させるとともに、ランプを点滅させる。Ｓ１５とＳ１６の状態は、電源部２０５に設けられたリセットスイッチ２０５５が押されるまで継続する。
【００４６】
センサを前扉３００の左側に設けた例を図１３に示す。図１３（ａ）は上面図であり、前扉３００のヒンジ近傍に機械式スイッチをセンサ２０６として取り付けた状態を示す。前扉３００が閉じた状態（点線の状態）では、センサ２０６の可動部Ａが前扉３００で押し込まれていてスイッチの接点がオンになっているが、前扉３００が開いた状態（実線の状態）では、センサ２０６の可動部Ａが突出している。この状態でスイッチの接点はオフになっている。
【００４７】
図１２はスロットマシン筐体の前扉３００を開けた状態を示す斜視図である。センサ２０６は前扉３００の左側（ヒンジ側）又は右側のいずれか一方あるいは両方に取り付けられる。スロットマシン筐体が上下にそれぞれ扉を備える分離方式である場合、センサ２０６は上扉側又は下扉側のいずれか一方あるいは両方に取り付けられる。
【００４８】
センサを前扉３００の左側に設けた例を図１３に示す。図１３（ａ）は上面図であり、前扉３００のヒンジ近傍に機械式スイッチをセンサ２０６として取り付けた状態を示す。前扉３００が閉じた状態（点線の状態）では、センサ２０６の可動部Ａが前扉３００で押し込まれていてスイッチの接点がオンになっているが、前扉３００が開いた状態（実線の状態）では、センサ２０６の可動部Ａが突出している。この状態でスイッチの接点はオフになっている。
【００４９】
図１３（ｂ）は光電装置をセンサ２０６として取り付けた状態を示す。センサ２０６の筒状のケースの内部にフォトダイオード等の受光素子２０６ａが設けられている。前扉３００が閉じた状態（点線の状態）では、センサ２０６のケース前面が前扉３００に設けられた蓋（遮蔽部）２０７で覆われているので受光素子２０６ａは光を検出しない（オン状態）。前扉３００が開いた状態（実線の状態）では受光素子２０６ａの前面は開放され光を検出する（オフ状態）。
【００５０】
センサを前扉３００の右側に設けた例を図１４に示す。図１４（ａ）は機械式スイッチをセンサ２０６として取り付けるとともに、前扉３００の内側にワイヤやアームなどの作動部２０８を設け、その端に作用端２０８ａを設けたものである。前扉３００を十分に開くと作用端２０８ａがスイッチ２０６の可動部２０６ｂを動かすことにより、スイッチ２０６はオフ状態になる。可動部２０６ｂは図の矢印方向に付勢されていて、前扉３００が閉じた状態でオン状態になる。
【００５１】
図１４（ｂ）はポテンショメータなどの電気的な変位測定器をセンサ２０６として用いたものである。前扉３００の開閉によりセンサ２０６の電気的変位（抵抗値、電圧値など）が変化する。この出力をコンパレータで予め定めた基準値と比較することにより、ある一定程度（しきい値）以上前扉３００が開かれたときにセンサ２０６がオフ状態になるようにできる。
【００５２】
図１４（ａ）（ｂ）によれば、前扉３００が予め定められた距離又は角度以上開いたことにより開状態を検出するように構成できる。図１３（ａ）においてもスイッチの取り付け位置や可動部の長さを調整することにより同様に構成できる。
【００５３】
発明の実施の形態４．
前述した不正行為は主に営業時間中に行われることが多いので、上記発明の実施の形態１乃至３において、営業時間外では不正行為の監視・判断を停止するようにしてもよい。
【００５４】
なお、営業時間に応じて不正行為の監視・判断を停止する制御部は、メイン基板の他、遊技機を設置する設置部に設けた制御装置であってもよいし、複数の遊技機を集中監視又は管理するコンピュータ等であってもよく、適宜に用いることができる。
【００５５】
発明の実施の形態４に係る遊技機のブロック図を図１５に示す。
２００ｃは不正行為の監視時間帯（具体的には営業時間）に関する情報を予め記憶している時間帯記憶部である。２１１はタイマー（リアルタイムクロック）であり、時刻情報又は時刻情報と日付カレンダー情報を出力する。タイマー２１１の出力により異物を検出した日付や曜日、時刻を判定することができる。なお、時間帯記憶部２００ｃはメイン基板２００と独立したメモリ（例えばＥＥＰＲＯＭ）で実現されてもよいし、メイン基板２００上のメモリで実現されてもよい。また、タイマー（リアルタイムクロック）２１１はメイン基板２００と独立したハードウエアで実現されてもよいし、メイン基板２００のＣＰＵによりソフトウエアで実現されてもよい。リアルタイムクロックを用いてタイマー２１１を構成する場合、一度時刻を設定すれば、電源がＯＦＦになった場合にもバックアップ電源（図示しない）からの電源供給で時間を刻み続けることができるため、電源をＯＦＦ−ＯＮしても現在時刻を再設定する必要がなく、リアルタイムの時間管理に適している。
【００５６】
図１６は、時間帯記憶部２００ｃに既に記憶されている監視時間帯テーブル、すなわち不正行為監視時間帯の設定の一例を示す概略図である。通常、設定変更はホールの営業開始前又は営業終了後に行われる。そこで、図１６に示すように、ホールの営業中に当たるホールの開店時間及びその前後を不正行為監視時間帯に設定し、それ以外の時間帯では不正行為を監視しない。
【００５７】
タイマー２１１に時刻機能とともに、曜日や年月日に関するカレンダー機能を持たせるようにしてもよい。そして、不正行為監視に関する情報として、不正行為監視時間帯の時刻とともに曜日や年月日に関する情報も記憶させる。制御部は時刻とともに曜日や年月日についても比較判断する。このように構成することにより、不正行為監視時間帯の情報を曜日、年月日などの情報を含むカレンダー情報と連動させることができ、これによって長期的な設定変更時間帯の監視が可能となる。
【００５８】
図１７は、１週間単位で時間帯を設定する場合を示す図である。図において、時間帯を１週間単位で管理し、例えば月曜日が定休日の場合、ホール閉店時間と同様に不正行為の監視を行わないようにする。さらに、１ヶ月単位で時間帯を設定するようにしてもよい。このような１ヶ月単位で設定変更時間帯の設定を１年単位又はそれ以上の年、月、日で行うことも可能である。
【００５９】
この発明の実施の形態４は、設定変更を禁止できる時間帯を予め設定し、その時間帯を監視することで、営業中に行われる不正行為による設定変更を防止するものである。この発明の実施の形態４によれば、設定変更を禁止できる時間帯を予め設定し、その時間帯を監視することで、営業中に行われる不正行為による設定変更を防止することができるという効果を奏する。
【００６０】
なお、以上の説明において遊技機としてスロットマシンを例にとり説明を加えたが、本発明はこれに限定されない。不正行為がなされるおそれがあるような他の遊技機、例えばパチンコ装置にも適用できることは言うまでもない。
【００６１】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００６２】
【図１】前扉を閉めた状態を示すスロットマシンの正面図である。
【図２】前扉を１８０度開いた状態を示すスロットマシンの正面図である。
【図３】発明の実施の形態１に係るスロットマシンの機能ブロック図を示す。
【図４】発明の実施の形態１に係る筐体へのセンサの取り付け状態を示す。
【図５】発明の実施の形態１に係る電源パネルへのセンサの取り付け状態を示す。
【図６】発明の実施の形態１に係るセンサの斜視図である。
【図７】発明の実施の形態２に係るセンサのブロック図を示す。
【図８】発明の実施の形態２に係る筐体へのセンサの取り付け状態を示す。
【図９】発明の実施の形態２に係る電源パネルへのセンサの取り付け状態を示す。
【図１０】発明の実施の形態３に係るスロットマシンの機能ブロック図を示す。
【図１１】発明の実施の形態３に係るスロットマシンの動作フローチャートを示す。
【図１２】発明の実施の形態３に係るセンサの取り付け状態を示す。
【図１３】発明の実施の形態３に係るセンサの具体例を示す。
【図１４】発明の実施の形態３に係るセンサの具体例を示す。
【図１５】発明の実施の形態４に係るスロットマシンの機能ブロック図を示す。
【図１６】発明の実施の形態４に係るスロットマシンにおける時間帯の設定例を示す。
【図１７】発明の実施の形態４に係る１週間単位で設定帯を設定する場合を示す図である。
【符号の説明】
【００６３】
１    メダルセレクタ
１００    スロットマシン
１２０    スロットマシン本体
１２１    ホッパ装置
１２２    ホッパタンク
１３０    前扉
１３１    ゲーム表示部
１３２    メダル投入口
１３３    リジェクトボタン
１３４    スタートボタン
１３５    払出し口
１３６    導出路
２００    メイン基板
２００ａ  不正行為監視部
２００ｂ  不正行為判断部
２００ｃ  時間帯記憶部
２０１    サブ基板
２０２    操作部
２０３    リールユニット
２０４    演出表示部
２０５    電源部
２０６    扉開閉検知センサ
２０６ａ  受光部
２０７    受光部の蓋
２０８    作動アーム、ワイヤなど
２１０    検出部
２１０ａ、２１０２ａ  発光素子、送信部
２１０ｂ、２１０２ｂ  受光素子、受信部
２１１    タイマ
３００    前扉
２０５１  電源スイッチ
２０５２  電源部パイロットランプ
２０５３  打ち止め有無スイッチ
２０５４  設定キースイッチ
２０５５  設定変更／リセットスイッチ
２０５６  ＡＣ１００Ｖパイロットランプ
２０５７  ＡＣ電源出力及び電源ケーブル
【図１】
2005152107.tif 000003
【図２】
2005152107.tif 000004
【図３】
2005152107.tif 000005
【図４】
2005152107.tif 000006
【図５】
2005152107.tif 000007
【図６】
2005152107.tif 000008
【図７】
2005152107.tif 000009
【図８】
2005152107.tif 000010
【図９】
2005152107.tif 000011
【図１０】
2005152107.tif 000012
【図１１】
2005152107.tif 000013
【図１２】
2005152107.tif 000014
【図１３】
2005152107.tif 000015
【図１４】
2005152107.tif 000016
【図１５】
2005152107.tif 000017
【図１６】
2005152107.tif 000018
【図１７】
2005152107.tif 000019